(57)【要約】【課題】歯科治療用の光を遮光することにより眼球の負担を軽減し、かつ、大きな動作を伴わずに瞬時に視界を良好にし、患部を確認できる歯科治療用の遮光器具の提供。【解決手段】本発明の歯科治療用の遮光器具１は、光透過帯と遮光帯とが交互に配されているルーバー層の両側に、透明樹脂層が積層した遮光板１０と、該遮光板１０に取り付けられた掴み棒２０とを備えていることを特徴とする。【選択図】図１
2008067981.tif 000002
【特許請求の範囲】
【請求項１】
光透過帯と遮光帯とが交互に配されているルーバー層の両側に、透明樹脂層が積層した遮光板と、該遮光板に取り付けられた掴み棒とを備えていることを特徴とする歯科治療用の遮光器具。
【請求項２】
前記ルーバー層上に第二のルーバー層を有し、２層のルーバー層に配されている遮光帯の長さ方向が互いに直交していることを特徴とする請求項１に記載の歯科治療用の遮光器具。
【請求項３】
前記掴み棒が、前記遮光板の厚さ方向に直交して取り付けられていることを特徴とする請求項１又は２に記載の歯科治療用の遮光器具。
【請求項４】
前記掴み棒に、前記遮光板の視野角の指標が設けられていることを特徴とする請求項１〜３のいずれかに記載の歯科治療用の遮光器具。
【請求項５】
前記指標が、前記掴み棒の側面に突設された２本の棒状の指標であり、該２本の棒状の指標の成す角度が３０〜１５０°であり、かつ、前記遮光板の主面に対して１５〜７５°の角度で掴み棒から突設していることを特徴とする請求項４に記載の歯科治療用の遮光器具。
【発明の詳細な説明】
【技術分野】
【０００１】
本発明は、歯科治療用の遮光器具に関する。
【背景技術】
【０００２】
従来、齲蝕などの歯の治療では、齲蝕を削った部分に金属を詰めるのが主流であった。金属は、耐久性があり口腔内の環境に適してはいるものの、周囲の歯と比べ目立ってしまい、抵抗を感じることがあった。近年、歯の詰めものへの審美性や耐久性が要求されており、コンポジットレジンを用いた歯の修復が開発されている。
コンポジットレジンとは、光を当てると固まる歯の色をした硬化樹脂であり、多官能モノマーをベースとし、レジン(樹脂)中にジルコニアやシリカなどのフィラーを充填したものである。該コンポジットレジンを用いた修復術式は前歯から臼歯へと拡大し、大きな窩洞にも適用できるようになり、天然歯に近い審美修復が可能となった。また、粒径の異なるフィラーを数種類用いることにより、物理的強度も高めることができた。
【０００３】
また、上記修復術式に用いられる光には、通常、青色領域における強力な放射が必要である。そこで、青色の光を放射し、かつ、口腔内での操作が容易なコンパクトな光放射源が提案されている（例えば、特許文献１参照。）。
また、中心部と外周部の光量が均一な状態で平行に光照射できる歯科治療用の平行光ヘッドも開発されている。
【０００４】
これらの歯科治療用の機器には、光源として可視光線領域の青色発光ダイオードを用いることが多い。しかし、この光源から照射される光は非常に眩しいため、患部が見えにくくなり治療が困難となり、また眼球への負担も大きかった。
そこで、可視光線の光を吸収し眼球への負担を軽減することのできる、レーザー光吸収メガネや保護プレートなどの診療補助材が開発されている。これらの診療補助材は、青色の光を吸収し、かつ、眼球にも優しいことから、補色関係にあるオレンジ色からなる材質のものが多かった。
【特許文献１】特表２００４−５０６３１１号公報
【発明の開示】
【発明が解決しようとする課題】
【０００５】
しかしながら、オレンジ色の診療補助材は、口腔内の色が同化して見えるため充填物（レジン）と天然歯とが区別しづらく、特に出血した場合に患部が見えにくくなることがあった。そのため、光を患部に照射する際は上記メガネをかけたり、プレートを視界の中に収まるように移動させ、患部の様子を確認する際はメガネを外したり、プレートを視界の外へ移動させるといった大きな動作を必要とし、緻密な作業を行う医師へ負担がかかっていた。
【０００６】
本発明は上記事情を鑑みてなされたもので、歯科治療用の光を遮光することにより眼球の負担を軽減し、かつ、大きな動作を伴わずに瞬時に視界を良好にし、患部を確認できる歯科治療用の遮光器具の提供を課題とする。
【課題を解決するための手段】
【０００７】
上記の課題を解決するために、本発明の歯科治療用の遮光器具は、光透過帯と遮光帯とが交互に配されているルーバー層の両側に、透明樹脂層が積層した遮光板と、該遮光板に取り付けられた掴み棒とを備えていることを特徴とする。
ここで、前記ルーバー層上に第二のルーバー層を有し、２層のルーバー層に配されている遮光帯の長さ方向が互いに直交していることが好ましい。
また、前記掴み棒が、前記遮光板の厚さ方向に直交して取り付けられていることが好ましい。
さらに、前記掴み棒に、前記遮光板の視野角の指標が設けられていることを特徴とすることが好ましい。
また、前記指標が、前記掴み棒の側面に突設された２本の棒状の指標であり、該２本の棒状の指標の成す角度が３０〜１５０°であり、かつ、前記遮光板の主面に対して１５〜７５°の角度で掴み棒から突設していることが好ましい。
【発明の効果】
【０００８】
本発明によれば、歯科治療用の光を遮光することにより眼球の負担を軽減し、かつ、大きな動作を伴わずに瞬時に視界を良好にし、患部を確認できる歯科治療用の遮光器具を提供できる。
【発明を実施するための最良の形態】
【０００９】
以下、本発明について詳細に説明する。
図１は本発明の歯科治療用の遮光器具（以下、「遮光器具」ということもある。）の一実施形態を説明した斜視図であり、図２は図１のＡ−Ａ’線に沿う断面図である。なお、Ａ−Ａ’方向を遮光器具１の上下方向、Ｂ−Ｂ’方向を遮光器具１の左右方向とする。また、図３〜７は本発明の遮光器具１の他の一例を示す斜視図である。
本実施形態の遮光器具１は、ルーバー層と２枚の透明樹脂層とが積層した遮光板（以下、「遮光板」ということもある。）１０と掴み棒２０によって構成されている。
【００１０】
［遮光板］
図８は本発明の遮光器具１を構成する遮光板１０の一実施形態を分解して示した分解斜視図である。なお、図面は遮光板１０の一部を拡大して模式的に示している。
本実施形態の遮光板１０は、光透過帯１１ａと遮光帯１１ｂとを交互に配してなるルーバー層１１の一方の面上に、第一の透明樹脂層１２が積層一体化されており、他方の面上に、第二の透明樹脂層１３が積層一体化されている。なお、遮光板１０は、前記ルーバー層上に積層した第二のルーバー層１４を有するのが好ましい。
以下、ルーバー層１１の厚さ方向をＺ方向、Ｚ方向に垂直な面内における互いに垂直な二方向をそれぞれＸ方向、Ｙ方向とする。
Ｘ―Ｙ平面（Ｚ方向に垂直な面）内における、遮光板１０の全体の平面形状は、例えば矩形であるが、適用する表示画面の形状に応じて適宜変更できる。
【００１１】
（ルーバー層）
ルーバー層１１を構成している光透過帯１１ａおよび遮光帯１１ｂはいずれもＸ方向に延びる帯状であり、Ｙ方向において複数の光透過帯１１ａと複数の遮光帯１１ｂとが交互に配されている。複数の光透過帯１１ａのＹ方向の幅は均一であり、かつＸ方向において一定である。また複数の遮光帯１１ｂのＹ方向の幅も均一であり、かつＸ方向において一定である。
ルーバー層１１において、該ルーバー層１１の表面と遮光帯１１ｂとのなす角度α２は略９０°（８５°より大きく９５°より小さい）であり、９０°であることが好ましい。
【００１２】
光透過帯１１ａの材料としては、透明性が高い樹脂が用いられる。具体的には、光透過帯１１ａのみに対して、図中Ｚ方向に光を透過させたときの光線透過率が７５％以上、好ましくは８５％以上であるような、高い透明性を有する樹脂材料が好ましい。例えば、透明性が高い熱可塑性樹脂や熱硬化性樹脂が用いられ、具体例としては、セルロース系樹脂、ポリオレフィン系樹脂、ポリエステル系樹脂、シリコーン樹脂、ポリスチレン樹脂、ポリ塩化ビニル樹脂、アクリル樹脂、ポリカーボネート樹脂等が挙げられる。中でもシリコーン樹脂が好ましく、特に耐熱性の点でシリコーンゴムが特に好ましい。
なお、本明細書における「光線透過率」の値は、光源としてＪＩＳ  Ｚ  ８７２０に規定されるＤ６５を用い、光源から出射された検査光の強度を受光センサーで測定する装置において、前記検査光の光路上に被測定物が無い状態での受光センサーの出力値をＡ、検査光の光路上に被測定物をセットし、被測定物を透過した透過光が受光センサーで受光される状態での出力値をＢとするとき、光線透過率＝（Ｂ／Ａ）×１００（単位；％）で求められる値とする。
【００１３】
遮光帯１１ｂの材料としては、光透過帯１１ａの材料として上記に挙げた樹脂を基材とし、これに顔料や染料等の着色剤を添加してなる着色樹脂が好適に用いられる。遮光帯１１ｂの色調は、遮光帯１１ｂにおける好ましい遮光性が得られればよく、例えば黒、赤、白、黄、緑、青、水色等とすることができる。遮光帯１１ｂの色調は、着色剤の種類および添加量によって調整できる。具体的には、遮光帯１１ｂのみに対して、その幅方向（図中ではＹ方向）に光を透過させたときの光線透過率が４０％以下、好ましくは１０％以下となるような遮光性を有することが好ましい。また、遮光帯１１ｂの色調は、ルーバー層１１を見たときに認識される色調を構成するので装飾性も考慮して設計することが好ましい。
着色剤の具体例としては、カーボンブラック、ベンカラ、酸化鉄、酸化チタン、黄色酸化鉄、ジスアゾイエロー、フタロシアニンブルー等の一般的な有機顔料あるいは無機顔料が挙げられる。着色剤は１種でもよく、２種以上を用いてもよい。また黒色顔料を用いない場合は、良好な遮光性を得るために白色顔料を併用することが好ましい。
ルーバー層１１において、光透過帯１１ａをなしている樹脂材料と、遮光帯１１ｂの基材としての樹脂材料とは同じであってもよく、異なっていてもよいが、光透過帯１１ａと遮光帯１１ｂとの接着性の点からは両者が同じであることが好ましい。
【００１４】
図９はルーバー層１１をＹ―Ｚ平面で切断した断面図である。ルーバー層１１において、Ｙ―Ｚ平面（図９における紙面）内における視野角θは、遮光板１０を遮光器具１に適用した際の左右方向における視野角に相当し、光透過帯１１ａのＺ方向における厚さおよびＹ方向における幅によって決まる。また、Ｙ方向における光透過帯１１ａの幅と遮光帯１１ｂの幅の比は、Ｚ方向に平行な光線の透過率に影響する。
具体的に、ルーバー層１１における前記視野角θは３０〜１５０°の範囲が好ましく、より好ましくは６０〜１２０°である。
光透過帯１１ａのＺ方向における厚さＴは、０．１〜２．５ｍｍ程度が好ましく、０．１４〜０．４ｍｍ程度がより好ましい。
光透過帯１１ａのＹ方向における幅Ｗ１は、５０μｍ〜０．３ｍｍの範囲内が好ましく、７５μｍ〜０．２ｍｍの範囲内がより好ましい。
遮光帯１１ｂのＹ方向における幅Ｗ２は、５μｍ〜５０μｍの範囲内が好ましく、１５μｍ〜３０μｍの範囲内がより好ましい。
遮光帯１１ｂのＺ方向における厚さＴは、光透過帯１１ａの厚さＴと同じである。
【００１５】
かかる構成のルーバー層１１は、以下のようにして製造することができる。まず、光透過帯１１ａの構成材料からなり厚さが上記Ｗ１である第１のシートの複数枚と、遮光帯１１ｂの構成材料からなり厚さが上記Ｗ２である第２のシートの複数枚とを交互に積層し、加熱および加圧してこれら複数のシートが一体化してなるブロック体を形成する。
次いで、該ブロック体をシート表面に垂直な切断面でスライスすることによりルーバー層１０が得られる。スライスする際の厚さ（スライス幅）は上記Ｔである。
【００１６】
（第二のルーバー層）
第二のルーバー層１４は、光透過帯１４ａと遮光帯１４ｂとがＸ方向において交互に配されている。
第二のルーバー層１４が前記ルーバー層１１と大きく異なる点は、ルーバー層１１における光透過帯１１ａおよび遮光帯１１ｂはいずれもＸ方向に延びる帯状であるのに対して、第二のルーバー層１４における光透過帯１４ａおよび遮光帯１４ｂはいずれもＹ方向に延びる帯状である点である。すなわちルーバー層１１の遮光帯１１ｂの長さ方向（Ｘ方向）と第二のルーバー層１４の遮光帯１４ｂの長さ方向（Ｙ方向）とは互いに直交している。なお、第二のルーバー層１４において、該第二のルーバー層１４の表面と遮光帯１４ｂとのなす角度α３は略９０°（８５°より大きく９５°より小さい）であり、９０°であることが好ましい。
【００１７】
第二のルーバー層１４における光透過帯１４ａおよび遮光帯１４ｂの材料については、前記ルーバー層１１における光透過帯１１ａおよび遮光帯１１ｂと同様である。
また、第二のルーバー層１４における光透過帯１４ａと遮光帯１４ｂの幅は、ルーバー層１１における光透過帯１１ａの幅Ｗ１と遮光帯１１ｂの幅Ｗ２とそれぞれ同様である。
さらに、第二のルーバー層１４のＺ方向における厚さは、ルーバー層１１のＺ方向における厚さＴと同じ範囲が好ましく、ルーバー層１１の厚さＴ１と第二のルーバー層１４の厚さとが同じであってもよく、異なっていてもよい。
【００１８】
かかる構成の第二のルーバー層１４の製造は、前記ルーバー層１１の製造に用いたのと同様のブロック体（シート積層物）を用いることができる。
【００１９】
ルーバー層１１と第二のルーバー層１４とを一体化させる方法は、特に限定されず、公知の手法を適宜用いることができる。
例えば、硬化後に透明性を有する接着剤を用いて両者を接着する方法が好ましい。かかる接着剤としては、硬化後に透明性を有する熱硬化型接着剤、多液反応型接着剤、紫外線硬化型接着剤等が挙げられ、具体的にはエポキシ系接着剤、ウレタン系接着剤、アクリル系接着剤、メラミン系接着剤、ポリエステル系接着剤、シリコーン系接着剤等を好適に用いることができる。
なお、本実施形態におけるルーバー層１１と第二のルーバー層１４の積層順序は逆にしても構わない。
【００２０】
また、本実施形態においてルーバー層１１の光透過帯１１ａおよび遮光帯１１ｂはＸ方向に平行に延びており、第二のルーバー層１４の光透過帯１４ａおよび遮光帯１４ｂはＹ方向に平行に延びている。すなわちルーバー層１１の遮光帯１１ｂの長さ方向と、第二のルーバー層１４の遮光帯１４ｂの長さ方向とが成す角度は９０°となっているが、この角度は必ずしも９０°でなくてもよく９０°±１５°（７５〜１０５°）が許容範囲である。特に好ましいのは９０°である。
つまり、本発明における「２層のルーバー層に配されている遮光帯の長さ方向が互いに直交する」とは、ルーバー層１１の遮光帯１ａｂの長さ方向と第二のルーバー層１４の遮光帯１４ｂの長さ方向との角度が９０°±１５°（７５〜１０５°）の範囲であることを意味しており、特に好ましい角度は９０°である。
【００２１】
（第一、第二の透明樹脂層）
第一の透明樹脂層１２と第二の透明樹脂層１３は上記ルーバー層の保護の役割を果たしている。これら透明樹脂層の材料としては、ルーバー層１１の透過帯１１ａの材料として上記に挙げた樹脂を用いることができる。透明性の点からは、第一の透明樹脂層１２と第二の透明樹脂層１３各々の単体に対して、図中、Ｚ方向に光を透過させたときの光線透過率が７５％以上であることが好ましく、８５％以上であることがより好ましい。
第一の透明樹脂層１２と第二の透明樹脂層１３の材料は、特に、透明性と耐熱性の点からポリカーボネート樹脂、ポリエステル系樹脂、アクリル樹脂、ポリオレフィン系樹脂（特に、シクロオレフィンポリマー）、セルロース系樹脂が好ましく、中でもポリカーボネート、およびポリエステル樹脂がより好ましい。
第一の透明樹脂層１２と第二の透明樹脂層１３のＺ方向における厚さは、薄すぎると十分な保護機能が得られず、厚いほど光線透過率が低下するので、０．０１〜０．５ｍｍ程度が好ましく、０．１〜０．２ｍｍ程度がより好ましい。
なお、第一の透明樹脂層１２と第二の透明樹脂層１３とは同じ材料からなっていてもよく、互いに異なる材料からなっていてもよい。また両者の厚さは同じであっても異なっていてもよい。
【００２２】
ルーバー層１１と第二のルーバー層１２が一体化した層と、第一の透明樹脂層１２と第二の透明樹脂層１３とを各々一体化させる方法は特に限定されず、公知の手法を適宜用いることができる。
例えば、ルーバー層１１と第二のルーバー層１２が一体化した層の表面に接着剤を塗布し、第一の透明樹脂層１２と第二の透明樹脂層１３の材料からなるシートを貼り合わせた後、接着剤を硬化させる方法でもよい。このとき用いる接着剤は硬化後における光線透過率が高いものが好ましい。具体的には、硬化後の接着剤層の単体における光線透過率が６５％以上であるものが好ましく、８０％以上がより好ましい。
かかる接着剤としては、硬化後に透明性を有する、熱硬化型接着剤、多液反応型接着剤、紫外線硬化型接着剤等が挙げられ、具体的にはエポキシ系接着剤、ウレタン系接着剤、アクリル系接着剤、メラミン系接着剤、ポリエステル系接着剤、シリコーン系接着剤等を好適に用いることができる。
【００２３】
遮光板１０の全体における光線透過率は４５％以上であることが好ましく、５５％以上であることがより好ましい。該光線透過率の上限は高い方が好ましいが、本発明の機能を達成するためには８０％程度が限界である。
なお、図１に示す遮光器具１における遮光板１０の光線透過率は７７％である。
【００２４】
（その他）
遮光板１０の一方の面上、または両面上には、アンチグレイ処理として反射防止剤を塗工してもよい。反射防止剤としては、例えば、フィラーを含有した樹脂インクが挙げられる。樹脂としては、アクリル樹脂、シリコーン樹脂、フッ素樹脂などが挙げられ、中でもアクリル樹脂が好ましい。また、フィラーとしては、シリカ粉末（二酸化珪素粉末）、アクリル樹脂系のフィラーなどが挙げられ、中でもシリカ粉末が好ましい。フィラーの形状には、球状、粉状、フレーク状、相船状、不定形状などがあるが、本発明においては特に限定されない。アンチグレイ処理をすることにより、遮光器具１として使用する際に遮光板１０上に室内灯などの映り込みを防止できるので望ましい。
【００２５】
［掴み棒］
本発明の遮光器具１を構成する掴み棒２０の材質としては、特に制限されないが、例えば、金属、樹脂、木材などが挙げられる。中でも、軽量で強度のある点から樹脂が好ましい。また、形状としては、丸棒であっても、三角、四角、五角などの多角棒であってもよいが、掴みやすさを考慮すると丸棒が好ましい。さらに、掴み棒２０の表面に凹凸を設けてもよい。
掴み棒２０の長さは、５〜５０ｃｍが好ましく、１０〜２０ｃｍがより好ましい。また、幅は、１〜５ｃｍが好ましく、１．５〜３ｃｍがより好ましい。
なお、掴み棒２０は、直線状でもよく、途中で屈曲させてもよい。
【００２６】
掴み棒２０は、前記遮光板１０のいかなる部分に取り付けてもよいが、遮光器具１とした際の使いやすさを考慮すると、遮光板１０の厚さ方向（Ｚ方向）に直交して取り付けるのが好ましい。また、遮光板１０の周縁部に取り付けるのが好ましい。さらに、図２に示すように、掴み棒２０と遮光板１０との成す角度α１が１８０°になるように取り付けるのが好ましいが、角度α１は１８０°以外であってもよい。
また、ルーバー層１１に配されている遮光帯１１ｂの長さ方向に対して平行になるように、掴み棒２０を遮光板１０取り付けるのが望ましい。
【００２７】
掴み棒２０を遮光板１０に取り付ける方法としては、特に制限されないが、例えば、掴み棒２０の一端に切れ込みを設け、該切れ込みに遮光板１０を差し込む方法、掴み棒２０と遮光板１０を直接融着する方法などが挙げられる。
【００２８】
掴み棒２０は、遮光板１０の視野角θの指標３０を側面に設けるのが好ましい。指標３０としては特に制限されないが、例えば、図３〜７に示すような棒状の指標３１、扇状の指標３２、逆円錐状の指標３３、ラベルまたは埋め込み部３４ａが設けられた球状の指標３４ｂ、掴み棒２０の側面に直接設けられたラベルまたは埋め込み部の指標３５などが挙げられる。中でも棒状の指標３１が好ましい。
なお、本発明における「指標」とは、視野角θの目印のことである。
【００２９】
ここで、棒状の指標３１について説明する。なお、棒状の指標３１は、２本で１組とする。
棒状の指標３１の材質としては、特に制限されないが、例えば、金属、樹脂、木材などが挙げられる。中でも、軽量で強度のある点から樹脂が好ましい。また、形状としては、丸棒であっても、三角、四角、五角などの多角棒であってもよい。
さらに、棒状の指標２１ａの長さは、１〜１０ｃｍが好ましく、２〜７ｃｍがより好ましい。また、幅は、０．３〜１ｃｍが好ましく、０．５〜０．８ｃｍがより好ましい。
【００３０】
棒状の指標３１は、掴み棒２０の側面から突設するのが好ましい。また、２本の棒状の指標３１が、遮光板１０の主面に対して１５〜７５°の角度で掴み棒２０の側面から突設することが好ましく、より好ましくは２５〜６５°であり、特に好ましいのは４５〜６０°である。また、２本の棒状の指標３１同士が３０〜１５０°の角度を成すよう掴み棒２０の側面から突設するのが好ましく、より好ましくは４０〜１２０°であり、特に好ましいのは４５〜９０°である。なお、２本の棒状の指標３１同士が成す角度は、上記ルーバー層１１における視野角θに依存する。
さらに、２組の棒状の指標３１が、図３に示すように、掴み棒２０の側面から遮光板１０を中心とした両側に、突設するのが望ましい。
【００３１】
２本の棒状の指標３１が上記範囲内の角度で掴み棒２０の側面から突設することにより、遮光器具１として使用する際、使用者（実際に歯科治療を行う者）以外の第三者（治療の介助を行う者）が持つ場合の視認範囲の目安となる。そのため、ルーバー層１１における視野角θの内外に使用者の視界を調整しやすくなり望ましい。
また、棒状の指標３１は、掴み棒２０が遮光板１０に取り付けてある部分から０．５〜５ｃｍの側面から突設しているのが好ましく、より好ましくは１〜３ｃｍである。
ここで、遮光板１０の主面とは、遮光板１０の厚さ方向に対して垂直な面のことである。
【００３２】
図１に示すように、本発明の歯科治療用の遮光器具１は、上述したような遮光板１０と掴み棒２０を備えている。口腔内に歯科治療用の光を照射する場合は、ルーバー層１１における視野角θから視界が外れるように遮光器具１をＣ−Ｃ’方向に回転させるだけで、光を遮光することができる。遮光器具１の回転は、掴み棒２０を手で掴み、掴み棒２０を周方向に回すことで行える。また、視野角θ内に視界が収まるように再度遮光器具１をＣ−Ｃ’方向に回転させるだけで、瞬時に口腔内の患部を確認することもできる。
このように、大きな動作を伴わずとも、手首を少し動かすといった小さな動作のみで光から眼球を保護したり、視界を良好にすることができる。
【００３３】
また、ルーバー層１１上に第二のルーバー層１４を積層させることにより、遮光器具１を寝かしたり起こすように動かしても、瞬時に光を遮光したり、患部を確認することもできるので好適である。
さらに、掴み棒２０が、視認範囲の目安となる指標３０を有することにより、第三者が遮光器具１を持つ場合でも、容易に使用者の視界を視野角θの内外に調整することができるので好適である。  
【図面の簡単な説明】
【００３４】
【図１】本発明の歯科治療用の遮光器具の一例を説明する斜視図である。
【図２】図１のＡ−Ａ’線に沿う断面図である。
【図３】本発明の歯科治療用の遮光器具の他の一例を示す斜視図である。
【図４】本発明の歯科治療用の遮光器具の他の一例を示す斜視図である。
【図５】本発明の歯科治療用の遮光器具の他の一例を示す斜視図である。
【図６】本発明の歯科治療用の遮光器具の他の一例を示す斜視図である。
【図７】本発明の歯科治療用の遮光器具の他の一例を示す斜視図である。
【図８】本発明に使用される遮光板の実施形態を示す分解斜視図である。
【図９】図２のＹ−Ｚ平面における断面図である。
【符号の説明】
【００３５】
１：遮光器具、１０：遮光板、１１：ルーバー層、１１ａ：光透過帯、１１ｂ：遮光帯、１２：第一の透明樹脂層、１３：第二の透明樹脂層、１４：第二のルーバー層、１４ａ：光透過帯、１４ｂ：遮光帯、２０：掴み棒、３０：指標
【図１】
2008067981.tif 000003
【図２】
2008067981.tif 000004
【図３】
2008067981.tif 000005
【図４】
2008067981.tif 000006
【図５】
2008067981.tif 000007
【図６】
2008067981.tif 000008
【図７】
2008067981.tif 000009
【図８】
2008067981.tif 000010
【図９】
2008067981.tif 000011